(57)【特許請求の範囲】
【請求項１】
紙おむつの背側両側端部に、側方に突出して取り付けられたファスニングテープを有し、前記ファスニングテープを紙おむつの腹側表面に止着することによって紙おむつを身体に装着するようにした紙おむつにおいて、
前記紙おむつは、使用面側を覆う透液性トップシートと、不織布からなり紙おむつの外面側を覆うとともに、１．８デニール以下であって且つ米坪量２０g/m２以下のバックシート不織布と、前記透液性トップシートとバックシート不織布との間に介在された吸収体と、前記吸収体とバックシート不織布との間に少なくとも吸収体の全面積を覆うように配設された防水フィルムと、紙おむつの両側部に表面側に起立する立体ギャザーを形成する立体ギャザー不織布とからなり、前記ファスニングテープの止着面を面ファスナーとし、紙おむつの装着に当たり、前記ファスニングテープを前記バックシート不織布の腹側表面の任意箇所に係合可能とするとともに、紙おむつの長手方向全長に亘って、前記防水フィルムは吸収体側縁よりも若干側方に延在して形成され、この側方延在部分において前記透液性トップシートと固着され、前記バックシート不織布は紙おむつの外形線を成す位置まで延在され、紙おむつの長手方向全長に亘って、側方に延在された前記立体ギャザー不織布と共にサイドフラップを構成し、
前記ファスニングテープは、ファスニングテープ基材の内端側を紙おむつのバックシート不織布に接着するとともに、前記ファスニングテープ基材の接着部位に対応して透液性トップシート面側に補強テープを貼着し、この補強テープの外端側をファスニングテープ基材に接着させ補強した構造のファスニングテープであり、
前記吸収体及び防水フィルムは平面視で砂時計状を成し、前記サイドフラップにおむつ長手方向に沿って複数本の弾性伸縮部材が配設され平面ギャザーが形成されているとともに、前記防水フィルムの両側縁は股間部では前記平面ギャザーに配置された弾性伸縮部材よりも内側に位置し、おむつ前後端部では前記弾性伸縮部材よりも外側に位置し、
JIS-Z-0237による試験の下で、初回係合力の平均値が少なくとも７５ｇ以上となるとともに、繰り返し係合力の５回目の平均値が６０g以上となるように前記バックシート不織布の物性および前記面ファスナーの係合片の形状および寸法を決定してあることを特徴とする使い捨て紙おむつ。
【請求項２】
前記サイドフラップを構成している不織布が撥水処理不織布である請求項１記載の使い捨て紙おむつ。
【発明の詳細な説明】
【０００１】
【発明の属する技術分野】
本発明は、紙おむつの腹側表面においてファスニングテープを止め付けるためのフロントターゲットテープを不要とした紙おむつの止着構造に関する。
【０００２】
【従来の技術】
従来より市場に提供されているテープ式紙おむつは、図８に示されるように、装着のために紙おむつの後身頃の両側に、止着面に粘着層を形成したファスニングテープ５０，５０を備えるもので、使用に際しては紙おむつの前身頃および後身頃をそれぞれ着用者の身体に当てがった後、前記ファスニングテープ５０，５０を腹側に持ち込み、紙おむつ外面の不透液性バックシート１Ａの表面に貼着されているポリエチレン等のプラスチック材料よりなるフロントターゲットテープ５１に止着して紙おむつの固定を行うようにしている。
【０００３】
【発明が解決しようとする課題】
しかしながら、一回の止着できっちりと紙おむつを装着するのは困難で、実際には何回かの止着直しを行いながら紙おむつの装着を行っていた。前記止着直しの原因の一つとしては、対の一方のファスニングテープについてはフロントターゲットテープに止着できたが、他方のファスニングテープが前記フロントターゲットテープに届かなかったりした場合を挙げることができ、装着に当たってファスニングテープの貼り付け位置に限定があること自体に煩わしさを感じることがあった。
【０００４】
また、止着直しを何回か行っている間に前記フロントターゲットテープが破けてしまうことがあった。もちろん、フロントターゲットテープの厚みを厚くすれば、フロントターゲットテープの破れは防止できるが、フロントターゲットテープの剛性が増すとゴワ付き感が大きくなり装着性が損なわれることになるため、極限まで薄くすることによって対処しているのが現状である。
【０００５】
そこで本発明の主たる課題は、腹側表面に貼設されるポリエチレン等のフロントターゲットテープを不要とし、ファスニングテープ止着時の煩わしさを解消するとともに、装着感の向上を図るようにすること、さらには前記フロントターゲットテープを無くすことにより生産性の向上、コスト縮減を図ることにある。
【０００６】
【課題を解決するための手段】
前記課題を解決するための本発明は、紙おむつの背側両側端部に、側方に突出して取り付けられたファスニングテープを有し、前記ファスニングテープを紙おむつの腹側表面に止着することによって紙おむつを身体に装着するようにした紙おむつにおいて、
前記紙おむつは、使用面側を覆う透液性トップシートと、不織布からなり紙おむつの外面側を覆うとともに、１．８デニール以下であって且つ米坪量２０g/m２以下のバックシート不織布と、前記透液性トップシートとバックシート不織布との間に介在された吸収体と、前記吸収体とバックシート不織布との間に少なくとも吸収体の全面積を覆うように配設された防水フィルムと、紙おむつの両側部に表面側に起立する立体ギャザーを形成する立体ギャザー不織布とからなり、前記ファスニングテープの止着面を面ファスナーとし、紙おむつの装着に当たり、前記ファスニングテープを前記バックシート不織布の腹側表面の任意箇所に係合可能とするとともに、紙おむつの長手方向全長に亘って、前記防水フィルムは吸収体側縁よりも若干側方に延在して形成され、この側方延在部分において前記透液性トップシートと固着され、前記バックシート不織布は紙おむつの外形線を成す位置まで延在され、紙おむつの長手方向全長に亘って、側方に延在された前記立体ギャザー不織布と共にサイドフラップを構成し、
前記ファスニングテープは、ファスニングテープ基材の内端側を紙おむつのバックシート不織布に接着するとともに、前記ファスニングテープ基材の接着部位に対応して透液性トップシート面側に補強テープを貼着し、この補強テープの外端側をファスニングテープ基材に接着させ補強した構造のファスニングテープであり、
前記吸収体及び防水フィルムは平面視で砂時計状を成し、前記サイドフラップにおむつ長手方向に沿って複数本の弾性伸縮部材が配設され平面ギャザーが形成されているとともに、前記防水フィルムの両側縁は股間部では前記平面ギャザーに配置された弾性伸縮部材よりも内側に位置し、おむつ前後端部では前記弾性伸縮部材よりも外側に位置し、
JIS-Z-0237による試験の下で、初回係合力の平均値が少なくとも７５ｇ以上となるとともに、繰り返し係合力の５回目の平均値が６０g以上となるように前記バックシート不織布の物性および前記面ファスナーの係合片の形状および寸法を決定してあることを特徴とするものである。
【０００７】
この場合において、前記紙おむつ外面シートを構成するバックシート不織布としては、面ファスナーが係合し易いように繊維径および米坪量を抑えた不織布、具体的には１．８デニール以下であって且つ米坪量２０g/m２以下の不織布が用いられる。
【０００８】
前記面ファスナーによって紙おむつの止着を行うようにするには、紙おむつを固定するのに十分な係合力を確保する必要がある。係合力を決定する因子としては、面ファスナーの係止片の形状、寸法と、不織布の繊維径、米坪量との２因子となるため、一義的に決定することは困難であるが、少なくとも装着時の固定力という観点から、JIS-Z-0237による試験の下で、初回係合力の平均値が少なくとも７５ｇ以上となるとともに、繰り返し係合力の５回目の平均値が６０ｇ以上となるように、前記バックシート不織布の物性および前記面ファスナーの係合片の形状および寸法を決定する。
【０００９】
【発明の実施の形態】
以下、本発明の実施の形態について図面を参照しながら詳述する。
図１は本発明に係る紙おむつの一部破断展開図であり、図２はその要部拡大展開図である。
【００１０】
図１において、使い捨て紙おむつは、有孔または無孔の不織布や孔開きプラスチックシート等からなり使用面側を覆う透液性トップシート２と、不織布からなり紙おむつの外面側を覆うとともに、おむつ両側部では後述の立体ギャザー不織布４と共にサイドフラップ部ＳＦを構成するバックシート不織布１と、前記透液性トップシート２とバックシート不織布１との間に介在された、綿状パルプ等からなる、たとえば砂時計形状（または長方形状等）のある程度の剛性を有する吸収体３と、前記吸収体３とバックシート不織布１との間に少なくとも吸収体３の全面積を覆うように配設されたポリエチレン等からなる防水フィルム９と、紙おむつの両側部に表面側に起立する立体ギャザーＢＳを形成するとともに、おむつ両側部では前記バックシート不織布１と共にサイドフラップ部ＳＦを構成するための立体ギャザー不織布４と、背側両側部に設けられた紙おむつ装着のためのファスニングテープ６，６とから主に構成されている。
【００１１】
また、紙おむつの腹部および背側では、前記バックシート不織布１、防水フィルム９および透液性トップシート２が共に延在し、吸収体３の存在しないエンドフラップ部ＥＦが形成され、該エンドフラップ部ＥＦに対し、前記防水フィルム９と透液性トップシート２との間に、発泡ウレタンなどからなり通気性を有する弾性伸縮テープ８，８が介在され、ウエストギャザーＥＦが形成されている。
【００１２】
本発明では、通常、おむつ外面を覆うために用いられているポリエチレン等による不透液性バックシート１Ａに代えて、不織布からなるバックシートが用いられ、かつ吸収体３とバックシート不織布１との間にポリエチレン等からなる防水フィルム９が介在されている。
【００１３】
前記防水フィルム９は、吸収体３と同じく砂時計形状を成し、両側縁部は吸収体３側縁よりも若干側方に延在して形成され（この部分を側方延在部分ＫＳという。）、この側方延在部分ＫＳにおいて透液性トップシート２とホットメルト接着剤などにより固着されている。また、前記バックシート不織布１は、前記防水フィルム９の外面側に積層され、紙おむつの外形線を成す位置まで延在され、後述の立体ギャザー不織布４とともにサイドフラップ部ＳＦを形成している。
【００１４】
前記防水フィルム９としては、近年、ムレ防止の点から透湿性を有するものが好適に用いられる。この遮水・透湿性シートは、たとえばポリエチレンやポリプロピレン等のオレフィン樹脂中に無機充填材を溶融混練してシートを形成した後、一軸または二軸方向に遠心することにより得られる微多孔性シートであり、仮にシート厚が同じであれば無孔シートよりも剛性が低下するため、柔軟性の点で勝るものとなる。
【００１５】
一方、立体ギャザー不織布４は、前記側方延在部分ＫＳから吸収体３側縁に跨る領域において幅方向中間部が紙おむつの略長手方向に沿って固着され、この固着部よりも側方に延在する不織布シート部分が前記バックシート不織布１と共にサイドフラップＳＦを構成している。このサイドフラップ部ＳＦにおいては、前記立体ギャザー不織布４とバックシート不織布１との間に紙おむつ長手方向に複数本、図示の例では３本の弾性伸縮部材７，７…が配設され、平面ギャザーＧＫが形成されている。この平面ギャザーＧＫは、着用した際に紙おむつをきっちりと脚周りにて保持することにより、フィット性を向上させ紙おむつがずれるのを防止する。また、紙おむつがきっちりと保持されることにより前記立体ギャザーＢＳが裏返ったりすることなく脚周りに沿って起立した状態で装着されるようになる。
【００１６】
他方、前記立体ギャザー不織布４の前記固着部よりも内方側の不織布シート部分によって表面側に起立する立体ギャザーＢＳが形成されている。この立体ギャザーＢＳは、吸収体３の側縁近傍位置に起立端を有し、その先端が紙おむつ長手方向に沿って二重に折り返され、この折り返し部の内方に１本の弾性伸縮ゴム５を、または必要により複数本の弾性伸縮ゴムを配設することにより、その伸縮力を利用して立体ギャザーＢＳを起立させるようになっている。前記弾性伸縮ゴム５としては、通常使用されるスチレン系ゴム、オレフィン系ゴム、ウレタン系ゴム、エステル系ゴム、ポリウレタン、ポリエチレン、ポリスチレン、スチレンブタジエン、シリコン、ポリエステル等の素材を用いることができる。なお、前記立体ギャザー不織布４の固着領域は側方延在部分ＫＳのみとすることでもよい。
【００１７】
前述のバックシート不織布１、透液性トップシート２および立体ギャザー不織布４を構成する素材繊維としては、ポリエチレンまたはポリプロピレン等のオレフィン系、ポリエステル系、アミド系等の合成繊維の他、レーヨンやキュプラ等の再生繊維、綿等の天然繊維とすることができ、スパンボンド法、サーマルボンド法、メルトブローン法、ニードルパンチ法等の適宜の加工方法に得られた不織布を用いることができるが、特にサイドフラップ部ＳＦを構成する前記立体ギャザー不織布４およびバックシート不織布１としては、ゴワ付き感を無くすとともに、ムレを防止するために、米坪量を抑えて通気性に優れた不織布を用いるのがよい。
【００１８】
本使い捨て紙おむつでは、サイドフラップ部ＳＦを不織布により構成しているため該部分が透液性を有するようになるが、極力透液性を低下させ体液の透過を防止するとともに、カブレを防止しかつ肌への感触性（ドライ感）を高めるために、シリコン系、パラフィン金属系、アルキルクロミッククロイド系撥水剤などをコーティングした撥水処理不織布を用いるのが望ましい。
【００１９】
一方、紙おむつを身体に固定するための前記ファスニングテープ６は、詳細には図３および図４に示されるように、ファスニングテープ基材１０の内端側を紙おむつのバックシート不織布１に接着するとともに、前記ファスニングテープ基材１０の接着部位に対応して透液性トップシート２面側に補強テープ１１を貼着し、この補強テープ１１の外端側をファスニングテープ基材１０に接着させ補強した構造のファスニングテープであり、ファスニングテープ基材１０の外端側の内面には面ファスナー１２が接着されている。
【００２０】
紙おむつの装着に当たっては、紙おむつを身体にあてがい、図５に示されるように、背側両端部に設けられた前記ファスニングテープ６を紙おむつの腹側表面（バックシート不織布１）部分の任意箇所に係合させるようにする。
【００２１】
【実施例】
本実施例では、ファスニングテープ６のバックシート不織布１に対する係合力を、前記面ファスナー式ファスニングテープ６が止着されるバックシート不織布１の物性値と面ファスナー１２の係止片の寸法との関係において検証するために係合力試験を行った。
【００２２】
面ファスナーの係合片の形状としては、レ字状、Ｊ字状、マッシュルーム状等のものが存在するが、レ字状およびＪ字状の係合片の場合には、不織布の繊維に対する係合力が強いため止着直しがしづらいことが判明したため、マッシュルーム状のものに限定して試験を行った。試験に用いた３種類（タイプＡ〜Ｃ）の係合片は住友スリーエム株式会社製の品番CS-200(2500ピン)のものを使用した。これらの内、係合片の相対寸法はタイプＡは標準の大きさとし、タイプＢはこれよりも大きめのものとし、タイプＣは小さめのものとしている。
【００２３】
一方、不織布は４種類の物性値、(1)０．５デニール（米坪量１０g/m２）、(2)１．０デニール（米坪量１６g/m２）、(3)１．８デニール（米坪量２０g/m２）、(4)３．０デニール（米坪量３５g/m２）のものについて試験を行った。なお、前記不織布(4)は、紙おむつで一般的に使用されている不織布である。
【００２４】
他方、目標係合力は着用時に無理な運動をしてもファスニングテープ６が剥離しない係合力ということで、初回係合力を７５ｇ以上、繰り返し係合力（５回目）を６０ｇ以上と設定した。
【００２５】
また試験は、JIS-Z-0237に規定される試験とした、この試験方法は、不織布を幅５０mm×５０mmに切り取り、幅２５mm×６３mmの試験片（ＭＦＴ）を２kgのゴムローラーで５０mm／秒の速度で一往復し圧着し（接着面積は２５mm×２５mm）、次いでＪＩＳ鋼板に両面テープで不織布裏面を貼り付けてスロトグラフチャックの下部に設置し、そして前記試験片を上部のチャックに挟み、３００mm／秒の速度で引っ張り、係合力を計測する試験方法である。
【００２６】
図６は初回係合力試験の結果をグラフ化したものであり、図７は繰り返し係合力の試験結果をグラフ化したものである。上記図６より定性的には、不織布の繊維径が細いほど係合力が高くなる傾向があることが判る。また、面ファスナーの係合片形状との関係では、一部傾向が逆転しているところも見られるが、係合片の径が小さいほど係合力が高くなっていることが判る。
【００２７】
一方、繰り返し係合力は、不織布の繊維径が異なっても全体的に勾配が緩くなってフラットな曲線形状になっていることが判る。
【００２８】
以上のような係合力試験を行い、目標とする初回係合力と繰り返し係合力を上回るように、デニール、米坪量等の不織布物性と、面ファスナーの係合片形状および寸法を決定するようにすればよい。好適には、不織布としては、１．８デニール以下であって且つ米坪量２０g/m２以下の不織布が好適に用いられる。また、初回係合力の平均値が少なくとも７５ｇ以上となるとともに、繰り返し係合力の５回目の平均値が６０ｇ以上となるように、使用する不織布物性および面ファスナー係合片の形状および寸法を決定するようにすればよい。
【００２９】
【発明の効果】
以上詳説のとおり本発明によれば、腹側表面に貼設されるポリエチレン等のフロントターゲットテープを不要と出来るため、ファスニングテープ止着時の煩わしさを解消できるようになるとともに、装着感が向上するようになる。また、同時に前記フロントターゲットテープを無くすことにより生産性の向上、コスト縮減を図ることが出来るようになる。
【図面の簡単な説明】
【図１】  本発明に係る使い捨て紙おむつの一部破断展開図である。
【図２】  その要部拡大展開図である。
【図３】  ファスニングテープ６の拡大斜視図である。
【図４】  ファスニングテープの上側からの視図である。
【図５】  紙おむつの装着状態図である。
【図６】  実施例における初回係合力試験結果を示すグラフである。
【図７】  実施例における繰り返し係合力試験結果を示すグラフである。
【図８】  従来のテープ式紙おむつの装着状態を示す図である。
【符号の説明】
１…バックシート不織布、２…透液性トップシート、３…吸収体、４…立体ギャザー不織布、５…弾性伸縮ゴム、６…ファスニングテープ、８…弾性伸縮テープ、９…防水フィルム、１０…ファスニングテープ基材、１１…補強テープ、１２…面ファスナー
【図１】
0004205820.tif 000002
【図２】
0004205820.tif 000003
【図３】
0004205820.tif 000004
【図４】
0004205820.tif 000005
【図５】
0004205820.tif 000006
【図６】
0004205820.tif 000007
【図７】
0004205820.tif 000008
【図８】
0004205820.tif 000009